(57)【要約】【課題】構成の簡略化と部品点数の削減を図り、且つ小型化できると共に、コネクタハウジングの光ファイバ挿入側にスペースがなくても光結合可能な光コネクタを提供する。【解決手段】外部に開口されるフェルール挿入室２を有するコネクタハウジング３と、フェルール挿入室２に配置され、フェルール４が接続された光トランシーバ６とを有し、コネクタハウジング３に、光ファイバ５１の端部に接続されたフェルール４を光トランシーバ６との接続位置で係止するフェルール係止部２５を備え、コネクタハウジング３を、フェルール４がフェルール挿入室２の開口部２１より内部位置に収容されるよう設定した。【選択図】図１
2013214015.tif 000002
【特許請求の範囲】
【請求項１】
外部に開口されるフェルール挿入室を有するコネクタハウジングと、前記フェルール挿入室に配置されたフェルール接続部とを備え、前記フェルール挿入室に挿入されたフェルールが前記フェルール接続部に接続される光コネクタであって、
前記コネクタハウジングには、光ファイバの端部に接続された前記フェルールを前記フェルール接続部との接続位置で係止するフェルール係止部が設けられていることを特徴とする光コネクタ。
【請求項２】
請求項１記載の光コネクタであって、
前記コネクタハウジングは、前記フェルールが前記フェルール挿入室の開口部より内部位置に収容されるよう設定されていることを特徴とする光コネクタ。
【請求項３】
請求項１又は２に記載の光コネクタであって、
前記コネクタハウジングは、前記フェルール挿入室の開口部が機器の筐体の外面と同一若しくは内側位置で前記筐体に固定されたことを特徴とする光コネクタ。
【発明の詳細な説明】
【技術分野】
【０００１】
本発明は、光伝送を行なう光ファイバの接続に用いられる光コネクタに関する。
【背景技術】
【０００２】
従来の光コネクタとして、特許文献１に開示されたものがある。この光コネクタは、図９及び図１０に示すように、機器の筐体１０１側に固定されるコネクタハウジング１０２と、光ファイバ１０３の端部に接続されるフェルール１０４を保持するフェルールハウジング１０５とを備えている。フェルールハウジング１０５をコネクタハウジング１０２に装着することによりフェルール１０４が適正な光結合位置に固定される。
【先行技術文献】
【特許文献】
【０００３】
【特許文献１】特開平１０−７８５３４号公報
【発明の概要】
【発明が解決しようとする課題】
【０００４】
しかしながら、前記従来例では、コネクタハウジング１０２とフェルールハウジング１０５の２つのハウジングを有するため、構成の複雑化、及び部品点数の増加を招来すると共に、光コネクタが大型化するという問題がある。又、図１０に示すように、機器の筐体１０１側にコネクタハウジング１０２を固定した場合、コネクタハウジング１０２からフェルールハウジング１０５が距離Ｄまで突出するので、コネクタハウジング１０２の光ファイバ１０３挿入側には、フェルールハウジング１０５の装着スペースが必要である。従って、もしフェルールハウジング１０５の装着スペースがない場合、装着困難であるため、フェルールハウジング１０５の装着スペースを確保するべく、機器側のレイアウト見直しが必要になる。
【０００５】
そこで、本発明は、前記した課題を解決すべくなされたものであり、構成の簡略化、及び部品点数の削減を図り、且つ小型化することができる光コネクタを提供することを目的とする。又、これに加え、コネクタハウジングの光ファイバ挿入側にスペースがなくても光結合可能な光コネクタを提供することを目的とする。
【課題を解決するための手段】
【０００６】
本発明は、外部に開口されるフェルール挿入室を有するコネクタハウジングと、前記フェルール挿入室に配置されたフェルール接続部とを備え、前記フェルール挿入室に挿入されたフェルールが前記フェルール接続部に接続される光コネクタであって、前記コネクタハウジングには、光ファイバの端部に接続された前記フェルールを前記フェルール接続部との接続位置で係止するフェルール係止部が設けられていることを特徴とする。
【０００７】
前記コネクタハウジングは、前記フェルールが前記フェルール挿入室の開口部より内部位置に収容されるよう設定されていることが好ましい。
【０００８】
又、前記コネクタハウジングは、前記フェルール挿入室の開口部が機器の筐体の外面と同一若しくは内側位置で前記筐体に固定されたことが好ましい。
【発明の効果】
【０００９】
本発明によれば、コネクタハウジングのフェルール挿入室に、光ファイバの端部に接続されたフェルールを挿入すると、フェルールがフェルール接続部との接続位置でコネクタハウジングのフェルール係止部により係止されるので、この状態でフェルールを介して光結合が行なわれる。従って、１つのみのハウジング、すなわちコネクタハウジングにフェルール、フェルール接続部、及びフェルール係止部を集約して設けたので、構成の簡略化、及び部品点数の削減を図れると共に、小型化を図ることもできる。
【図面の簡単な説明】
【００１０】
【図１】本発明の一実施形態を示し、光コネクタの分解斜視図である。
【図２】本発明の一実施形態を示し、光コネクタの断面図である。
【図３】本発明の一実施形態を示し、一対の光ファイバを結合する前の状態を示す斜視図である。
【図４】本発明の一実施形態を示し、一対の光ファイバを結合した状態を示す斜視図である。
【図５】本発明の一実施形態を示し、一方の光ファイバを結合した状態を示す裏面図である。
【図６】本発明の一実施形態を示し、一方の光ファイバを結合した状態を裏面側から見た斜視図である。
【図７】本発明の一実施形態を示し、（ａ）は機器の筐体に固定されたコネクタハウジングに光ファイバを結合する前の斜視図、（ｂ）は機器の筐体に固定されたコネクタハウジングに光ファイバを結合した状態の斜視図である。
【図８】本発明の一実施形態を示し、機器の筐体に固定されたコネクタハウジングに光ファイバを結合した状態の断面図である。
【図９】従来例を示し、光コネクタの分解断面図である。
【図１０】従来例を示し、光コネクタの組立断面図である。
【発明を実施するための形態】
【００１１】
以下、本発明の一実施形態を図面に基づいて説明する。
【００１２】
図１〜図８は本発明の一実施形態を示す。図１に示すように、光コネクタ１は、外部に開口されるフェルール挿入室２を有するコネクタハウジング３と、並列した状態で延設され、それぞれフェルール挿入室２に挿入されるフェルール４を有する２つのフェルール組付体５と、フェルール挿入室２に配置され、各フェルール４に接続されるフェルール接続部である光トランシーバ（ＦＯＴ：Ｆｉｂｅｒ  Ｏｐｔｉｃａｌ  Ｔｒａｎｓｃｅｉｖｅｒ）６と、光トランシーバ６の上部及び両側部を覆うシールドケース７とを備えている。
【００１３】
フェルール組付体５は、光伝送を行なう光ファイバ５１の端部に、フェルール４が接着剤あるいはレーザー溶着により接着固定されると共に、光ファイバ５１の端部外周に、後述するフェルール係止部２５と係合する係合部５２が設けられている。
【００１４】
コネクタハウジング３のフェルール挿入室２は、開口部２１に隣接して設けられ、フェルール組付体５の係合部５２が収容される第１室２２と、この第１室２２に連通してコネクタハウジング３の奥行き方向にそれぞれ延びる２つの第２室２３とから構成されている。フェルール挿入室２の各第２室２３には、光トランシーバ６及びフェルール４が収容される。すなわち、コネクタハウジング３は、フェルール４がフェルール挿入室２の開口部２１より内部位置に収容されるよう設定されている。
【００１５】
第１室２２の両側に位置する側壁部２４には、フェルール組付体５の係合部５２と係合し、各フェルール４を光トランシーバ６との接続位置で係止するフェルール係止部２５が設けられている。係合部５２は、側壁部２４に片持ち支持され、フェルール４からの押圧力によって撓み変形するよう形成されている。フェルール組付体５をフェルール挿入室２の開口部２１よりフェルール挿入室２に挿入し、フェルール４を第２室２３内の光トランシーバ６に差し込むと、フェルール係止部２５に係合部５２が係合することにより、フェルール４が光トランシーバ６との接続位置で係止される。このとき、フェルール係止部２５が係合部５２の付勢により外側へ撓み変形して、フェルール係止部２５の一部が側壁部２４の外側に突出する。
【００１６】
次に、フェルール４の組み付け作業を説明する。コネクタハウジング３のフェルール挿入室２に、光ファイバ５１の端部に接続されたフェルール４を挿入すると、フェルール４が光トランシーバ６との接続位置でフェルール係止部２５により係止されるので、この状態でフェルール４を介して光結合が行なわれる。
【００１７】
又、図７及び図８に示すように、光コネクタ１は、機器８の筐体８１に直付けされる。コネクタハウジング３は、フェルール挿入室２の開口部２１が機器８の筐体８１の外面と同一若しくは内側位置で筐体８１に固定される。
【００１８】
以上説明したように、フェルール４が光トランシーバ６との接続位置でコネクタハウジング３のフェルール係止部２５に係止されるので、１つのみのハウジング、すなわちコネクタハウジング３のみで良い。そして、コネクタハウジング３にフェルール４、光トランシーバ６、及びフェルール係止部２５を集約して配置したので、構成の簡略化、及び部品点数の削減を図れると共に、小型化を図ることもできる。
【００１９】
フェルール４は、フェルール挿入室２の開口部２１より内部位置に収容されており、フェルール４がコネクタハウジング３のフェルール４挿入側に突出しない。従って、コネクタハウジング３のフェルール４挿入側にコネクタ装着用スペースが必要ない。
【００２０】
コネクタハウジング３を機器８の筐体８１に固定したとき、フェルール挿入室２の開口部２１が機器８の筐体８１の外面と同一若しくは内側にあり、フェルール挿入室２が機器８の筐体８１より外側に突出しない。従って、機器８の筐体８１より外側にコネクタ装着用スペースが必要ない。従って、前記コネクタ装着用スペースを確保することができない場合であっても、光コネクタ１を設置して光結合を行なうことができる。
【符号の説明】
【００２１】
１  光コネクタ
２  フェルール挿入室
３  コネクタハウジング
４  フェルール
６  光トランシーバ（フェルール接続部）
８  機器
２１  開口部
２５  フェルール係止部
５１  光ファイバ
８１  筐体
【図１】
2013214015.tif 000003
【図２】
2013214015.tif 000004
【図３】
2013214015.tif 000005
【図４】
2013214015.tif 000006
【図５】
2013214015.tif 000007
【図６】
2013214015.tif 000008
【図７】
2013214015.tif 000009
【図８】
2013214015.tif 000010
【図９】
2013214015.tif 000011
【図１０】
2013214015.tif 000012